(57)【特許請求の範囲】
【請求項１】
下ケース及び上ケースを備え、前記上ケースは、前記下ケースと一体的に接続されている装着型電子装置のケースにおいて、
前記上ケースは、固定フレーム及び前記固定フレームを収容する防振フレームを備え、前記下ケースは、蓋体及び密封リングを備え、前記蓋体は、前記密封リングと一体的に形成され、前記密封リングは、前記下ケースと前記上ケースとが接続されている箇所に設置されて、前記下ケースと前記上ケースとは密封的に接続され、
前記防振フレームは、第一端部を備え、前記第一端部には、第一ロック溝が設けられ、前記第一ロック溝は、装着型電子装置のガラス文字盤を係合することに用いられ、
前記防振フレームは、第二端部を備え、前記防振フレームの第二端部には、前記第一端部に向けて窪んだ第二ロック溝が設けられ、前記固定フレームは、前記第二ロック溝内に収容され、また、前記固定フレームの幅は、前記第二ロック溝における前記第一端部から前記第二端部に沿って延在する深さに等しいことを特徴とするケース。
【請求項２】
前記蓋体の周縁には、突出した部分がリング状となった連続部が設けられ、前記密封リングは、前記連続部を囲んで形成され、且つ前記連続部を覆うことを特徴とする請求項１に記載のケース。
【請求項３】
前記固定フレームの一端には複数の突起が設けられ、各前記突起には固定棒が設けられ、前記固定棒には固定孔が設けられており、前記蓋体には、複数の通孔が設けられ、前記通孔は、前記固定孔と対応して連通することを特徴とする請求項１に記載のケース。
【請求項４】
ガラス文字盤及び装着部材を備える装着型電子装置において、
前記装着型電子装置は、請求項１から３のいずれか１項に記載のケースを備え、前記ガラス文字盤は、前記ケースの上ケース内に嵌入され、前記装着部材は、回転可能に前記ケースの両側にそれぞれ設置されることを特徴とする装着型電子装置。
【請求項５】
前記防振フレームは、第一端部を備え、前記第一端部には、第一ロック溝が設けられ、前記第一ロック溝は、前記ガラス文字盤を係合することに用いられることを特徴とする請求項４に記載の装着型電子装置。
【請求項６】
前記防振フレームは、第二端部を備え、該第二端部には、第一端部に向けて窪んだ第二ロック溝が設けられ、前記固定フレームは、前記第二ロック溝内に係合され、また、前記固定フレームの幅は、前記第二ロック溝における前記第一端部から前記第二端部に沿って延在する深さに等しいことを特徴とする請求項５に記載の装着型電子装置。
【発明の詳細な説明】
【技術分野】
【０００１】
本発明は、ケースに関し、特にケース及び該ケースを有する装着型電子装置に関するものである。
【背景技術】
【０００２】
現在、装着型電子装置として、腕時計が広く用いられている。しかし、腕時計を着用している最中に、腕時計に物が当って表面に傷が付いたり、水の中に落としてしまい故障する場合がある。従ってユーザは、防振性、防水性に優れた腕時計を購入する際の重要な要因としている。つまり、開発者にとって、腕時計に優れた防振性、防水性をもたせることが現在の重要課題になっている。
【発明の概要】
【発明が解決しようとする課題】
【０００３】
以上の問題点に鑑みて、本発明は、防振性及び防水性を有し、且つ外観に影響を与えないケース及び該ケースを有する装着型電子装置を提供することを目的とする。
【課題を解決するための手段】
【０００４】
上記の課題を解決するために、本発明のケースは、下ケース及び上ケースを備え、上ケースは、下ケースと一体的に接続されており、上ケースは、固定フレーム及び固定フレームを収容する防振フレームを備え、下ケースは、蓋体及び密封リングを備え、蓋体は、密封リングと一体的に形成され、密封リングは、下ケース及び上ケースとが接続されている箇所に設置されて、下ケースと上ケースとは密封的に接続される。
【０００５】
上記の課題を解決するために、本発明の装着型電子装置は、ガラス文字盤、装着部材及び請求項１、４から５のいずれか１項に記載のケースを備え、ガラス文字盤は、ケースの上ケース内に嵌入し、装着部材は、回転可能にケースの両側にそれぞれ設置される。
【発明の効果】
【０００６】
本発明の装着型電子装置は、インサート成形方法によって、防振フレームをガラス文字盤及び固定フレームと一体的に成形させる。また、防振フレームが固定フレームを収容するため、装着型電子装置のケースが物に当って収容キャビティ内の電子部材が破損することを防止する。また、ガラス文字盤の周縁が防振フレーム内に係合されているため、ガラス文字盤と上ケースとはシームレスに接続されている。また、下ケースと上ケースとが接続されている箇所には密封リングが設置されており、装着型電子装置に密封的な空間が形成されているため、防水、防塵の効果を有する。つまり、本発明の装着型電子装置は、製造工程が簡単であり、且つ防振、防水、防塵の効果を有する。
【図面の簡単な説明】
【０００７】
【図１】本発明に係る装着型電子装置の斜視図である。
【図２】図１に示した装着型電子装置の別の視覚から見た斜視図である。
【図３】図１に示した装着型電子装置の分解斜視図である。
【図４】図３に示した装着型電子装置の別の視覚から見た分解斜視図である。
【図５】図１に示した装着型電子装置をＶ−Ｖ線に沿って切断した断面図である。
【発明を実施するための形態】
【０００８】
図１に示したように、本実施形態において、装着型電子装置１００は、腕時計である。しかし、装着型電子装置１００は、腕時計に限定されるものではない。装着型電子装置１００は、ガラス文字盤１０、ケース３０及び装着部材５０を備え、ガラス文字盤１０は、ケース３０内に嵌入して固定されており、且つケース３０と協働して１つの収容キャビティ６０を形成する。収容キャビティ６０は、電池（図示せず）等電子部材を収容する。装着部材５０は、回転可能にケース３０の両端に設置されている。
【０００９】
図２を併せて参照すると、ケース３０は、上ケース３１及び下ケース３３を備える。上ケース３１と下ケース３３とは一体に組み立てられている。本実施形態において、上ケース３１と下ケース３３とは、ネジ３５によって固定されている。
【００１０】
図３〜図４を併せて参照すると、上ケース３１は、防振フレーム３１１及び固定フレーム３１３を備える。防振フレーム３１１は、固定フレーム３１３の外表面を覆い、装着型電子装置１００のケース３０が物に当って、収容キャビティ６０内の電子部材が破損するのを防止する。
【００１１】
防振フレーム３１１は、弾性材料からなり、該弾性材料は、熱可塑性ポリウレタンエラストマー（ＴＰＵ）である。防振フレーム３１１の形状は、装着型電子装置１００の形状によって設計される。本実施形態においては、防振フレーム３１１は、正方形のフレームである。また、防振フレーム３１１は、第一端部３１１１及び第二端部３１１２を備える。第一端部３１１１には略リング状を呈する第一ロック溝３１１３が形成されており、第一ロック溝３１１３は、ガラス文字盤１０の周辺と係合するため、ガラス文字盤１０とケース３０とは一体に接続される。防振フレーム３１１の第二端部３１１２には、第一端部３１１１に向けて窪んだ第二ロック溝３１１５が設けられている。第二ロック溝３１１５は、固定フレーム３１３を収容する。防振フレーム３１１は、更に互いに対向して位置する２つの第一側面３１１６及び２つの第二側面３１１７を備え、第一側面３１１６と第二側面３１１７とは互いに対して垂直に連接されている。２つの第一側面３１１６には、連接部３１１８がそれぞれ設置されており、該連接部３１１８は、装着部材５０と接続している。また、１つの第二側面３１１７には、少なくとも１つの押圧部３１１９が設けられており、ユーザは押圧部３１１９を押圧することで、ケース３０内のスイッチを触発して、装着型電子装置１００を制御する。
【００１２】
固定フレーム３１３は、金属材料等の硬質材料からなり、且つ正方形を呈している。固定フレーム３１３の一端には、複数の突起３１３１が設けられており、本実施形態において、該突起３１３１は、対称的にそれぞれ正方形の固定フレーム３１３の四隅に位置しており、且つ固定フレーム３１３の中心に向けて延在している。また突起３１３１の数は、４つである。ネジ３５は、下ケース３３を貫通し、且つ突起３１３１に固定される。これにより、下ケース３３は上ケース３１に固定される。本実施形態において、各突起３１３１における上ケース３１に面する一面には固定棒３１３２が設けられている。また、固定棒３１３２には、固定孔３１３３が設けられている。固定孔３１３３の内壁にはネジ部（図示せず）が設けられ、該ネジ部は、ネジ３５のネジ部（図示せず）と螺合接続する。
【００１３】
図５を併せて参照すると、他の実施形態において、固定フレーム３１３の幅Ｌは、第二ロック溝３１１５の第一端部３１１１から第二端部３１１２に沿って延在する深さに等しい。固定フレーム３１３は、防振フレーム３１１内に収容され、この際、固定フレーム３１３の突起３１３１は、防振フレーム３１１から露出している。
【００１４】
下ケース３３は、蓋体３３１及び密封リング３３３を備える。蓋体３３１は、インサート成形によって、密封リング３３３と一体に成形される。蓋体３３１は正方形の板状を呈す。蓋体３３１の周縁には、突出した部分が略リング状となった連続部３３１０が形成されおり、連続部３３１０は、蓋体３３１と密封リング３３３とを固定する。本実施形態において、連続部３３１０は、蓋体３３１の外表面の周縁に形成されている。他の実施形態においては、連続部３３１０は、蓋体３３１の内表面の周縁に形成される。密封リング３３３は、蓋体３３１の連続部３３１０を囲んで形成され、且つ連続部３３１０を覆う。密封リング３３３の材質は、ゴム材料からなり、該ゴム材料は、熱可塑性ポリウレタンエラストマーである。他の実施形態において、下ケース３３の蓋体３３１には、複数の通孔３３６が設けられ、通孔３３６は、固定孔３１３３と対応して連通するため、通孔３３６と固定孔３１３３とを組み合わせた後、ネジ３５を嵌入させて、下ケース３３と上ケース３１とを一体的に接続する。
【００１５】
装着部材５０は、回転可能にケース３０の両側に接続されている。また、装着部材５０のケース３０における上ケース３１に接続されている一端には、接続部５１がそれぞれ設けられている。接続部５１は、連接部３１１８に回転可能に接続されている。本実施形態において、装着部材５０は、ベルトである。他の実施形態において、装着部材５０は、人の腕或いは衣類に装着できる装着部材である。
【００１６】
装着型電子装置１００を組み立てる場合、インサート成形方法によって、防振フレーム３１１に固定フレーム３１３の外表面及びガラス文字盤１０の周縁を覆わせる。具体的には、成形の過程において、ガラス文字盤１０の周縁を第一ロック溝３１１３に収容し、固定フレーム３１３を第二ロック溝３１１５内に収容して、ガラス文字盤１０、固定フレーム３１３及び防振フレーム３１１を一体的に接続して上ケース３１を形成する。次に、蓋体３３１をインサート成形方法によって密封リング３３３と一体的に接続して、下ケース３３を形成する。次に、下ケース３３を上ケース３１の第二端部３１１２に接続し、密封リング３３３を上ケース３１と下ケース３３とが接続する箇所に設置して、上ケース３１と下ケース３３とを密封する。この際、固定孔３１３３は、通孔３３６と対向する。次いで、ネジ３５を通孔３３６、固定孔３１３３の順に通過させて嵌入させることによって、上ケース３１を下ケース３３と一体的に接続させる。最後に装着部材５０を連接部３１１８にそれぞれ接続させる。
【００１７】
本発明の装着型電子装置１００は、インサート成形方法によって、防振フレーム３１１をガラス文字盤１０及び固定フレーム３１３と一体的に成形させる。また、防振フレーム３１１が固定フレーム３１３を収容するため、装着型電子装置１００のケース３０が物に当って収容キャビティ６０内の電子部材が破損することを防止する。また、ガラス文字盤１０の周縁が防振フレーム３１１内に係合されているため、ガラス文字盤１０と上ケース３１とはシームレスに接続されている。また、下ケース３３と上ケース３１とが接続されている箇所には密封リング３３３が設置されており、装着型電子装置１００に密封的な空間が形成されているため、防水、防塵の効果を有する。つまり、本発明の装着型電子装置１００は、製造工程が簡単であり、且つ防振、防水、防塵の効果を有する。
【符号の説明】
【００１８】
１００  装着型電子装置
１０  ガラス文字盤
３０  ケース
３１  上ケース
３１１  防振フレーム
３１１１  第一端部
３１１２  第二端部
３１１３  第一ロック溝
３１１５  第二ロック溝
３１１６  第一側壁
３１１８  連接部
３１１７  第二側面
３１１９  押圧部
３１３  固定フレーム
３１３１  突起
３１３２  固定棒
３１３３  固定孔
３３  下ケース
３３１  蓋体
３３１０  連続部
３３３  密封リング
３３６  通孔
３５  ネジ
５０  装着部材
５１  接続部
６０  収容キャビティ
Ｌ  幅
【図１】
0006474649.tif 000002
【図２】
0006474649.tif 000003
【図３】
0006474649.tif 000004
【図４】
0006474649.tif 000005
【図５】
0006474649.tif 000006